(57)【要約】      （修正有）【課題】簡単な構造で、鍵荷重を高音域側と低音域側とで簡単に変えることができる鍵盤装置および電子鍵盤楽器を提供する。【解決手段】鍵２の押鍵操作に伴ってアクション荷重を付与する複数のハンマー部材３の慣性モーメントを調整する複数のモーメント調整部材２６を備え、モーメン調整部材２６は、鍵２に対して変更可能に対向する複数の対向面を有する本体部２７と、この本体部２７の複数の対向面にそれぞれ設けられて鍵２に対する当接位置からハンマー部材３の回転中心までの、当該ハンマー部材の長手方向に沿った距離が各対向面で異なる複数の調整突起部２９ａ〜２９ｄとを備えている。従って、本体部２７をハンマー部材３に取り付ける際に、本体部２７の取付向きを変えるだけで、鍵２に対する調整突起部２９ａ〜２９ｄの当接位置を調整でき、その当接位置からハンマー部材３の回転中心までの距離を高音域側と低音域側とで簡単に変えることができる。【選択図】図１
2014149356.tif 000002
【特許請求の範囲】
【請求項１】
押鍵操作によってそれぞれ上下方向に回転する複数の鍵と、
前記複数の鍵の押鍵操作に伴って前記複数の鍵それぞれにアクション荷重を付与する複数のハンマー部材と、
前記ハンマー部材に取り付けられ、前記鍵に対して変更可能に対向する複数の対向面を有する本体部、およびこの本体部の前記複数の対向面にそれぞれ設けられ、前記鍵に対する当接位置から前記ハンマー部材の回転中心までの、当該ハンマー部材の長手方向に沿った距離が前記複数の対向面ごとに異なる複数の調整突起部を有する複数のモーメント調整部材と、
を備えていることを特徴とする鍵盤装置。
【請求項２】
請求項１に記載の鍵盤装置において、前記モーメント調整部材は、前記本体部を前記ハンマー部材に取り付ける際に、前記本体部をその外周面に沿って回転させて、前記鍵に対向する前記複数の対向面のいずれかを選択した状態で、前記本体部が前記ハンマー部材に取り付けられていることを特徴とする鍵盤装置。
【請求項３】
請求項１または請求項２に記載の鍵盤装置において、前記本体部は、筒状に形成され、その外周面に前記鍵に対向する前記対向面が複数形成され、前記ハンマー部材に設けられた保持突起部が挿入することにより前記ハンマー部材に取り付けられ、また前記複数の調整突起部は、前記ハンマー部材の回転中心までの、当該ハンマー部材の長手方向に沿った距離がそれぞれ異なった位置で、前記複数の対向面にそれぞれ設けられていることを特徴とする鍵盤装置。
【請求項４】
請求項１〜請求項３のいずれかに記載の鍵盤装置において、前記モーメント調整部材は、弾力性を有する材料で形成されていることを特徴とする鍵盤装置。
【請求項５】
請求項１〜請求項４のいずれかに記載の鍵盤装置において、前記ハンマー部材は、ハンマー本体と、このハンマー本体に取り付けられ、回転支点を中心に前記ハンマー本体と共に回転するハンマーホルダとを有し、このハンマーホルダに前記保持突起部が設けられ、この保持突起部に前記モーメント調整部材が取り付けられていることを特徴とする鍵盤装置。
【請求項６】
請求項１〜請求項５のいずれかに記載の鍵盤装置において、前記複数のハンマー部材がそれぞれ回転した際に、前記モーメント調整部材の前記複数の調整突起部から前記ハンマー部材の回転中心までの、当該ハンマー部材の長手方向に沿った距離に応じて、前記ハンマー部材がそれぞれ当接する当接面の上下位置が段階的に異なる上限ストッパ部を備えていることを特徴とする鍵盤装置。
【請求項７】
請求項１〜請求項６のいずれかに記載の鍵盤装置を備えていることを特徴とする電子鍵盤楽器。
【発明の詳細な説明】
【技術分野】
【０００１】
この発明は、電子ピアノや電子オルガンなどの鍵盤楽器における鍵盤装置および電子鍵盤楽器に関する。
【背景技術】
【０００２】
例えば、電子ピアノなどの鍵盤楽器においては、特許文献１に記載されているように、鍵盤シャーシ上に配列された複数の鍵を押鍵操作によってそれぞれ上下方向に回転させた際に、複数の鍵の押鍵操作に伴って複数のハンマー部材が各鍵それぞれにアクション荷重を付与するように構成されたものが知られている。
【先行技術文献】
【特許文献】
【０００３】
【特許文献１】特開２００４−２５２２４６号公報
【０００４】
このような鍵盤楽器は、鍵盤シャーシ上に配列された複数の鍵のうち、低音域側と高音域とで鍵タッチ感を変えるために、鍵にハンマー押圧部をハンマー部材に向けて延出させ、このハンマー押圧部にハンマー部材の先端をガイドする複数のハンマーガイド溝を上下平行な状態で設け、上側に位置するハンマーガイド溝で高音域側のハンマー部材の先端をガイドし、下側に位置するハンマーガイド溝で低音域側のハンマー部材の先端をガイドするように構成されている。
【０００５】
このような鍵盤楽器では、ハンマー部材の先端が鍵のハンマーガイド溝に当接する位置からハンマー部材の回転中心までの長さを、低音域側から高音域側に向けて段階的に長くして、高音域側のハンマー部材の慣性モーメントを低音域側のハンマー部材の慣性モーメントよりも小さくし、これにより高音域側の鍵荷重を低音域側の鍵荷重よりも軽くして、アコースティックピアノの鍵タッチ感に近似した鍵タッチ感が得られるように構成されている。
【発明の概要】
【発明が解決しようとする課題】
【０００６】
しかしながら、このような鍵盤楽器では、鍵のハンマー押圧部に設けられた複数のハンマーガイド溝が上下方向に段階的に設けられているため、複数の鍵の初期状態における各高さを一定に保つと、ハンマー部材の先端を上側のハンマーガイド溝でガイドする場合と、ハンマー部材の先端を下側のハンマーガイド溝でガイドする場合とで、ハンマー部材の初期位置が低音域側と高音域側とで異なり、ハンマー部材の初期位置を一定に保つことができないという問題がある。
【０００７】
この発明が解決しようとする課題は、簡単な構造で、ハンマー部材の初期位置を一定に保って、鍵荷重を高音域側と低音域側とで簡単に変えることができる鍵盤装置および電子鍵盤楽器を提供することである。
【課題を解決するための手段】
【０００８】
この発明は、押鍵操作によってそれぞれ上下方向に回転する複数の鍵と、これら複数の鍵の押鍵操作に伴って前記複数の鍵それぞれにアクション荷重を付与する複数のハンマー部材と、前記ハンマー部材に取り付けられ、前記鍵に対して変更可能に対向する複数の対向面を有する本体部、およびこの本体部の前記複数の対向面にそれぞれ設けられ、前記鍵に対する当接位置から前記ハンマー部材の回転中心までの、当該ハンマー部材の長手方向に沿った距離が前記複数の対向面ごとに異なる複数の調整突起部を有する複数のモーメント調整部材と、を備えていることを特徴とする鍵盤装置である。
【発明の効果】
【０００９】
この発明によれば、モーメント調整部材の本体部をハンマー部材に取り付ける際に、本体部の取付向きを変えて複数の対向面のいずれかを選択し、この状態で本体部をハンマー部材に取り付けるだけで、複数の調整突起部のいずれかを選択して鍵に対する調整突起部の当接位置を調整することができる。これにより、ハンマー部材が鍵に当接する位置からハンマー部材の回転中心までの距離を、高音域側と低音域側とで簡単に変えることができるので、構造が簡単で、ハンマー部材の初期位置を一定に保って、鍵荷重を高音域側と低音域側とで容易に変えることができる。
【図面の簡単な説明】
【００１０】
【図１】この発明を電子鍵盤楽器の鍵盤装置に適用した一実施形態を示した断面図である。
【図２】図１に示された鍵盤装置において、鍵を押鍵してハンマー部材を回転させた状態を示した断面図である。
【図３】図１に示されたハンマー部材のハンマーホルダを示した拡大図である。
【図４】図３に示されたハンマーホルダに取り付けられたモーメント調整部材を後方から見た拡大図である。
【発明を実施するための形態】
【００１１】
以下、図１〜図４を参照して、この発明を電子鍵盤楽器の鍵盤装置に適用した一実施形態について説明する。
この電子鍵盤楽器の鍵盤装置は、図１および図２に示すように、合成樹脂製の鍵盤シャーシ１と、この鍵盤シャーシ上に音階順に配列された状態で上下方向に回転可能に取り付けられた複数の鍵２と、これら複数の鍵２にそれぞれアクション荷重を付与する複数のハンマー部材３と、複数の鍵３の押鍵操作に応じてそれぞれスイッチ信号を出力するスイッチ部４とを備えている。
【００１２】
鍵盤シャーシ１は、図１および図２に示すように、その前端部（図１では右端部）に前脚部５が下側に向けて突出して設けられている。この前脚部５には、鍵２の前部を上下方向にガイドする鍵ガイド部６が上方に突出して設けられている。また、前脚部５の後側（図１では左側）には、支持脚７が前脚部５と同じ高さで下側に突出して設けられている。
【００１３】
この支持脚７の後部上方（図１では左上）には、図１および図２に示すように、ハンマー支持部８が鍵ガイド部６よりも少し低い高さで設けられている。このハンマー支持部８の下面には、軸取付部８ａが下側に突出して設けられている。この場合、支持脚７とハンマー支持部８との間には、立上り部９が設けられており、この立上り部９には、ハンマー部材３の先端部（図１では右端部）が挿入する開口部９ａが設けられている。
【００１４】
また、ハンマー支持部８の後部には、図１および図２に示すように、スイッチ搭載部１０が設けられている。このスイッチ搭載部１０の後部側には、鍵支持部１１が鍵ガイド部６とほぼ同じ高さで設けられている。この鍵支持部１１の後部には、後脚部１２が底部に向けて垂下された状態で設けられている。
【００１５】
複数の鍵２は、図１および図２に示すように、白鍵と黒鍵とを備えている。ただし、この実施形態では白鍵のみについて説明する。この鍵２は、その後端部に屈曲部１３が設けられ、この屈曲部１３が共通連結部１４に連結され、この共通連結部１４が鍵盤シャーシ１の鍵支持部１１上に取り付けられるように構成されている。この場合、共通連結部１４は、鍵２の配列方向に沿って連続する帯状に形成されている。この共通連結部１４には、複数の鍵２がそれぞれ屈曲部１３を介して連結されている。
【００１６】
これにより、複数の鍵２は、図１および図２に示すように、押鍵操作に応じて屈曲部１３が上下方向に屈曲することにより、この屈曲部１３を中心に上下方向に回転するように構成されている。また、これら複数の鍵２の各前部側には、それぞれハンマー押圧部１５がハンマー部材３の先端部に向けて垂下された状態で設けられている。
【００１７】
一方、ハンマー部材３は、図１および図２に示すように、ハンマー本体１６と、このハンマー本体１６の前部に取り付けられたハンマーホルダ１７と、ハンマー本体１６の後端部（図１では左端部）に設けられた錘部１８とを備えている。ハンマー本体１６は、鍵盤シャーシ１のハンマー支持部８から後脚部１２の下部側に向けて配置されるように構成されている。このハンマー本体１６の前側部は、ハンマー本体１６の前端部が上方に延び、この延びた上端部が後方に向けて延びた形状で、後方側が開放された湾曲状に形成されている。
【００１８】
ハンマーホルダ１７は、合成樹脂からなり、図１〜図３に示すように、ハンマー本体１６の前側上部に装着されるように構成されている。すなわち、このハンマーホルダ１７は、ハンマー本体１６の前端部に装着する下部装着部１７ａと、ハンマー本体１６の前端部から上方に延びた部分に装着する前部装着部１７ｂと、ハンマー本体１６の上端部から後方に向けて延びた部分に装着する上部装着部１７ｃとを有している。
【００１９】
このハンマーホルダ１７には、図１〜図３に示すように、ハンマー本体１６の回転中心となる回転取付部１９が設けられている。この回転取付部１９は、下部装着部１７ａと前部装着部１７ｂと上部装着部１７ｃとで囲われた箇所に設けられ、その中心部に軸受部１９ａが設けられ、この軸受部１９ａが鍵盤シャーシ１のハンマー支持部８における軸取付部８ａに設けられた支持軸２０に回転自在に取り付けられるように構成されている。これにより、ハンマー部材３は、ハンマー支持部８の支持軸２０を中心に上下方向に回転するように構成されている。
【００２０】
また、このハンマーホルダ１７の下部装着部１７ａの後端上部には、図１〜図３に示すように、鍵盤シャーシ１のスイッチ搭載部１０に搭載されたスイッチ部４を押圧するスイッチ押圧部２１が設けられている。スイッチ部４は、鍵盤シャーシ１のスイッチ搭載部１０上に鍵２の配列方向に沿って連続して設けられたスイッチ基板２２と、このスイッチ基板２２の下面に配置されてスイッチ基板２２の長手方向に連続するゴムシート２３とを備えている。
【００２１】
この場合、ゴムシート２３には、図１および図２に示すように、ドーム状の膨出部２４が鍵盤シャーシ１のスイッチ搭載部１０に設けられた貫通孔１０ａを通して下側に突出して設けられている。このドーム状の膨出部２４は、その下部が複数のハンマー部材３の各スイッチ押圧部２１にそれぞれ対応するように配置されている。このドーム状の膨出部２４内には、上下方向の高さが異なる一対の可動接点２４ａ、２４ｂがスイッチ基板２２の下面に設けられた一対の固定接点（図示せず）に接離可能に対応して設けられている。
【００２２】
これにより、このスイッチ部４は、図１および図２に示すように、ドーム状の膨出部２４がハンマー部材３のスイッチ押圧部２１によって押圧された際に、ドーム状の膨出部２４が弾性変形して一対の可動接点２４ａ、２４ｂが時間差をもって順次スイッチ基板２２の一対の固定接点に接触することにより、それぞれスイッチ信号を出力するように構成されている。この場合、出力されたスイッチ信号は、これに基づいてハンマー部材３の回転速度に伴う鍵２の押鍵操作の強さが検出される。
【００２３】
ところで、複数のハンマー部材３には、図１〜図３に示すように、それぞれ保持突起部２５が複数の鍵２の各ハンマー押圧部１５に向けて突出した状態で設けられている。すなわち、この保持突起部２５は、断面が正四角形の角棒状に形成され、ハンマーホルダ１７の上部装着部１７ｃから前方（図１では右側）に向けてほぼ水平に突出した状態で、ハンマーホルダ１７に一体に形成されている。
【００２４】
また、複数のハンマー部材３の各保持突起部２５には、図１〜図４に示すように、ハンマー部材３の慣性モーメントを調整するための複数のモーメント調整部材２６がそれぞれ取り付けられている。このモーメント調整部材２６は、ウレタンゴムやエラストマーなどの弾力性を有する合成樹脂によって形成されている。
【００２５】
このモーメント調整部材２６は、図１〜図４に示すように、保持突起部２５に取り付けられて、鍵２のハンマー押圧部１５に対して変更可能に対向する複数の対向面２８を有する本体部２７と、この本体部２７の複数の対向面２８にそれぞれ設けられて、鍵２のハンマー押圧部１５に対する当接位置からハンマー部材３の回転中心である支持軸２０までの距離が、複数の対向面２８ごとに異なる複数の調整突起部２９ａ〜２９ｄとを備えている。
【００２６】
すなわち、このモーメント調整部材２６は、図１〜図４に示すように、本体部２７をハンマー部材３の保持突起部２５に取り付ける際に、本体部２７をその外周面に沿って回転させて、鍵２のハンマー押圧部１５に対する複数の対向面２８のいずれかを選択し、この状態で本体部２７にハンマー部材３の保持突起部２５を挿入させることにより、本体部２７が保持突起部２５に取り付けられるように構成されている。
【００２７】
この場合、鍵２のハンマー押圧部１５には、図１および図２に示すように、モーメント調整部材２６が挿入するガイド挿入部１５ａが設けられている。このガイド挿入部１５ａは、下側に開放された逆凹溝状に形成され、図１に示す鍵２の初期状態のときにほぼ水平になるように形成されている。これにより、このガイド挿入部１５ａは、その内部上面にモーメント調整部材２６の複数の調整突起部２９ａ〜２９ｄのいずれかが当接した状態で、押鍵操作による鍵２の上下方向への回転に応じて、モーメント調整部材２６を上下方向に移動させながら、鍵２の前後方向に摺動させるように構成されている。
【００２８】
また、このガイド挿入部１５ａは、図１および図２に示すように、押鍵操作による鍵２の上下方向への回転に応じて、モーメント調整部材２６が上下方向に移動する際に、内部の両側面にモーメント調整部材２６の複数の調整突起部２９ａ〜２９ｄの他のいずれかが当接して鍵２に対する横振れを防ぎながら、モーメント調整部材２６を鍵２の前後方向に摺動させるように構成されている。
【００２９】
この場合、モーメント調整部材２６の本体部２７は、図３および図４に示すように、保持突起部２５が挿入する断面正四角形の角筒状に形成されている。この本体部２７の外周面には、鍵２のハンマー押圧部１５におけるガイド挿入部１５ａの内部上面に対して、選択的に対向する対向面２８が、複数（この実施形態では４面）形成されている。また、この本体部２７は、その筒軸がハンマー部材３の長手方向に沿った状態で、ハンマー部材３の保持突起部２５が挿入することにより、この保持突起部２５に取り付けられるように構成されている。
【００３０】
また、複数の調整突起部２９ａ〜２９ｄは、図３および図４に示すように、複数の対向面２８にそれぞれ設けられ、かつハンマー部材３の回転中心である支持軸２０からの距離がそれぞれ異なった位置に設けられている。すなわち、複数の調整突起部２９ａ〜２９ｄのうち、例えば第１の調整突起部２９ａは、図３および図４において本体部２７の上面に位置する対向面２８に設けられ、ハンマー部材３の回転中心からの距離Ｌ１が最も長く設定されている。
【００３１】
また、第２の調整突起部２９ｂは、図３および図４において本体部２７の手前側の側面（図４では右側面）に位置する対向面２８に設けられ、ハンマー部材３の回転中心からの距離Ｌ２が、最も長い距離Ｌ１よりも短く（Ｌ２＜Ｌ１）設定されている。同様に、第３の調整突起部２９ｃは、図３および図４において本体部２７の下面に位置する対向面２８に設けられ、ハンマー部材３の回転中心からの距離Ｌ３が、距離Ｌ２よりも短く（Ｋ３＜Ｋ２）設定されている。さらに、第４の調整突起部２９ｄは、図３および図４において本体部２７の背面側の側面（図４では左側面）に位置する対向面２８に設けられ、ハンマー部材３の回転中心からの距離Ｌ４が、最も短く（Ｌ４＜Ｌ３＜Ｌ２＜Ｌ１）設定されている。
【００３２】
これにより、複数の調整突起部２９ａ〜２９ｄは、図３および図４に示すように、ハンマー部材３の保持突起部２５に対する本体部２７の取付向きを変更すると、鍵２のハンマー押圧部１５におけるガイド挿入部１５ａの内部上面に当接する複数の調整突起部２９ａ〜２９ｄのいずれかが選択されることにより、その当接位置からハンマー部材３の回転中心までの距離Ｌ１〜Ｌ４のいずれかが選択されるように構成されている。
【００３３】
すなわち、このモーメント調整部材２６は、図３および図４に示すように、例えば本体部２７の対向面２８に設けられた第１の調整突起部２９ａを本体部２７の上面に位置させた状態で、本体部２７をハンマー部材３の保持突起部２５に取り付けると、鍵２のハンマー押圧部１５におけるガイド挿入部１５ａの内部上面に第１の調整突起部２９ａが当接し、この第１の調整突起部２９ａからハンマー部材３の回転中心までの距離Ｌ１が最も長くなり、ハンマー部材３の慣性モーメントが最も小さくなるように設定される。
【００３４】
また、このモーメント調整部材２６は、図３および図４に示すように、例えば本体部２７の対向面２８に設けられた第２の調整突起部２９ｂを本体部２７の上面に位置させた状態で、本体部２７をハンマー部材３の保持突起部２５に取り付けると、鍵２のハンマー押圧部１５におけるガイド挿入部１５ａの内部上面に第２の調整突起部２９ｂが当接し、この第２の調整突起部２９ｂからハンマー部材３の回転中心までの距離Ｌ２が距離Ｌ１よりも短くなり、ハンマー部材３の慣性モーメントが距離Ｌ１の場合よりも大きくなるように設定される。
【００３５】
また、このモーメント調整部材２６は、図３および図４に示すように、例えば本体部２７の対向面２８に設けられた第３の調整突起部２９ｃを本体部２７の上面に位置させた状態で、本体部２７をハンマー部材３の保持突起部２５に取り付けると、鍵２のハンマー押圧部１５におけるガイド挿入部１５ａの内部上面に第３の調整突起部２９ｃが当接し、この第３の調整突起部２９ｃからハンマー部材３の回転中心までの距離Ｌ３が距離Ｌ２よりも短くなり、ハンマー部材３の慣性モーメントが距離Ｌ２の場合よりも更に大きくなるように設定される。
【００３６】
さらに、このモーメント調整部材２６は、図３および図４に示すように、例えば本体部２７の対向面２８に設けられた第４の調整突起部２９ｄを本体部２７の上面に位置させた状態で、本体部２７をハンマー部材３の保持突起部２５に取り付けると、鍵２のハンマー押圧部１５におけるガイド挿入部１５ａの内部上面に第４の調整突起部２９ｄが当接し、この第４の調整突起部２９ｄからハンマー部材３の回転中心までの距離Ｌ４が距離Ｌ３よりも短くなり、ハンマー部材３の慣性モーメントが最も大きくなるように設定される。
【００３７】
この場合、複数のハンマー部材３は、高音域側から低音域側に向かうに従って段階的に慣性モーメントが大きくなるように、モーメント調整部材２６の取付状態が異なるように構成されている。すなわち、最も高音域側に位置するモーメント調整部材２６は、ハンマー部材３の回転中心までの距離Ｌ１の調整突起部２９ａが、鍵２のハンマー押圧部１５におけるガイド挿入部１５ａの内部上面に当接する状態でハンマー部材３に取り付けられている。
【００３８】
同様に、次の高音域側に位置するモーメント調整部材２６は、ハンマー部材３の回転中心までの距離Ｌ２の調整突起部２９ｂが、鍵２のハンマー押圧部１５におけるガイド挿入部１５ａの内部上面に当接する状態でハンマー部材３に取り付けられている。また、高音域側に隣接する低音域側に位置するモーメント調整部材２６は、ハンマー部材３の回転中心までの距離Ｌ３の調整突起部２９ｃが、鍵２のハンマー押圧部１５におけるガイド挿入部１５ａの内部上面に当接する状態でハンマー部材３に取り付けられている。
【００３９】
さらに、最も低音域側に位置するモーメント調整部材２６は、ハンマー部材３の回転中心までの距離Ｌ４の調整突起部２９ｄが、鍵２のハンマー押圧部１５におけるガイド挿入部１５ａの内部上面に当接する状態でハンマー部材３に取り付けられている。これらにより、複数のハンマー部材３は、高音域側から低音域側に向かう従って段階的に慣性モーメントが大きくなる。このため、複数の鍵２は、高音域側から低音域側に向かうに従って段階的に鍵荷重が重くなるように構成されている。
【００４０】
ところで、鍵盤シャーシ１の後部には、図１および図２に示すように、下限ストッパ部３０と上限ストッパ部３１とが設けられている。下限ストッパ部３０は、フェルトからなり、鍵盤シャーシ１の後脚部１２の下部に設けられている。この下限ストッパ部３０は、その上面が同じ高さで、ハンマー部材３の配列方向に沿って連続している。また、上限ストッパ部３１は、フェルトからなり、鍵盤シャーシ１の鍵支持部１１の後部下面に設けられている。
【００４１】
この上限ストッパ部３１は、図１および図２に示すように、その下面の上下位置が高音域側から低音域側に向けて段階的に高くなるように、ハンマー部材３の配列方向に沿って段階的に厚みが薄く形成されている。すなわち、ハンマー部材３は、その後部側の回転移動量が、高音域側で小さく、低音域側に向かうに従って段階的に大きくなる。これに伴って、上限ストッパ部３１は、その各下面３１ａ〜３１ｄの上下位置が高音域側から低音域側に向けて段階的に高くなるように構成されている。
【００４２】
次に、このような電子鍵盤楽器の鍵盤装置の作用について説明する。
この鍵盤装置において、高音域側から低音域側に向けて段階的に鍵タッチ感を重くする場合には、まず、モーメント調整部材２６の本体部２７をその外周面に沿って回転させ、ハンマー部材３の保持突起部２５に対する本体部２７の取付向きを選択する。
【００４３】
これにより、鍵２のハンマー押圧部１５におけるガイド挿入部１５ａの内部上面に当接する複数の調整突起部２９ａ〜２９ｄのいずれかを選択し、この選択した複数の調整突起部２９ａ〜２９ｄからハンマー部材３の回転中心までの距離Ｌ１〜Ｌ４が、高音域側から低音域側に向けて段階的に短くなるように、複数のモーメント調整部材２６を複数のハンマー部材３の各保持突起部２５にそれぞれ取り付ける。
【００４４】
すなわち、最も高音域側に位置するモーメント調整部材２６は、その本体部２７の対向面２８に設けられた第１の調整突起部２９ａを本体部２７の上面に位置させた状態で、本体部２７をハンマー部材３の保持突起部２５に取り付ける。これにより、第１の調整突起部２９ａからハンマー部材３の回転中心までの距離Ｌ１を最も長くし、ハンマー部材３の慣性モーメントを最も小さくして、押鍵操作時における鍵荷重を軽くする。
【００４５】
また、次の高音域側に位置するモーメント調整部材２６は、その本体部２７の対向面２８に設けられた第２の調整突起部２９ｂを本体部２７の上面に位置させた状態で、本体部２７をハンマー部材３の保持突起部２５に取り付ける。これにより、第２の調整突起部２９ｂからハンマー部材３の回転中心までの距離Ｌ２を距離Ｌ１よりも短くし、ハンマー部材３の慣性モーメントを調整突起部２９ａのときよりも少し大きくして、押鍵操作時における鍵荷重を少し重くする。
【００４６】
同様に、高音域側に隣接する低音域側に位置するモーメント調整部材２６は、その本体部２７の対向面２８に設けられた第３の調整突起部２９ｃを本体部２７の上面に位置させた状態で、本体部２７をハンマー部材３の保持突起部２５に取り付ける。これにより、第３の調整突起部２９ｃからハンマー部材３の回転中心までの距離Ｌ３を距離Ｌ２よりも更に短くし、ハンマー部材３の慣性モーメントを調整突起部２９ｂのときよりも少し大きくして、押鍵操作時における鍵荷重を更に重くする。
【００４７】
そして、最も低音域側に位置するモーメント調整部材２６は、その本体部２７の対向面２８に設けられた第４の調整突起部２９ｄを本体部２７の上面に位置させた状態で、本体部２７をハンマー部材３の保持突起部２５に取り付ける。これにより、第４の調整突起部２９ｄからハンマー部材３の回転中心までの距離Ｌ４を最も短くし、ハンマー部材３の慣性モーメントを最も大きくして、押鍵操作時における鍵荷重を最も重くする。
【００４８】
次に、このような鍵盤装置の鍵２およびハンマー部材３の動作について説明する。
まず、鍵２を押鍵操作すると、鍵２の屈曲部１３が押鍵操作に応じて上下方向に屈曲し、これにより鍵２が屈曲部１３を中心に時計回りに回転する。このときには、鍵２のハンマー押圧部１５におけるガイド挿入部１５ａの内部上面がハンマー調整部材２５の調整突起部２９ａ〜２９ｄのいずれかを押し下げる。
【００４９】
これにより、ハンマー部材３が鍵盤シャーシ１のハンマー支持部８に設けられた支持軸２０を中心に時計回りに回転する。このときには、ハンマー部材３が錘部１８の重量に抗して回転することにより、鍵２にアクション荷重が付加される。このアクション荷重は、ハンマー調整部材２５の調整突起部２９ａ〜２９ｄからハンマー部材３の回転中心である支持軸２０までの距離Ｌ１〜Ｌ４によって異なる。
【００５０】
すなわち、鍵２に付加されるアクション荷重は、ハンマー調整部材２５の第１の調整突起部２９ａがハンマー押圧部１５のガイド挿入部１５ａの内部上面に当接していると、この第１の調整突起部２９ａからハンマー部材３の回転中心である支持軸２０までの距離Ｌ１が最も長くなるので、慣性モーメントが最も大きくなり、鍵荷重が最も軽くなる。
【００５１】
また、ハンマー調整部材２５の第２の調整突起部２９ｂがハンマー押圧部１５のガイド挿入部１５ａの内部上面に当接していると、この第２の調整突起部２９ｂからハンマー部材３の回転中心である支持軸２０までの距離Ｌ２が少し短く（Ｌ２＜Ｌ１）なるので、慣性モーメントが少し小さくなり、鍵荷重が少し重くなる。
【００５２】
さらに、ハンマー調整部材２５の第３の調整突起部２９ｃがハンマー押圧部１５のガイド挿入部１５ａの内部上面に当接していると、この第３の調整突起部２９ｃからハンマー部材３の回転中心である支持軸２０までの距離Ｌ３が少し短く（Ｌ３＜Ｌ２）なるので、慣性モーメントが更に小さくなり、鍵荷重が更に重くなる。
【００５３】
同様に、ハンマー調整部材２５の第４の調整突起部２９ｄがハンマー押圧部１５のガイド挿入部１５ａの内部上面に当接していると、この第４の調整突起部２９ｄからハンマー部材３の回転中心である支持軸２０までの距離Ｌ４が最も短く（Ｌ４＜Ｌ３）なるので、慣性モーメントが最も小さくなり、鍵荷重が最も重くなる。
【００５４】
このように鍵２が押鍵されてハンマー部材３が回転すると、ハンマーホルダ１７のスイッチ押圧部２１がスイッチ部４のドーム状の膨出部２４を押圧する。すると、ドーム状の膨出部２４がハンマーホルダ１７のスイッチ押圧部２１で押されて弾性変形し、膨出部２４内の一対の可動接点２４ａ、２４ｂが時間差をもって順次スイッチ基板２２の固定接点に（図示せず）に接触し、これによりスイッチ信号が出力される。このスイッチ信号に基づいて楽音がスピーカ（図示せず）から放音される。
【００５５】
このときには、ハンマー部材３がハンマーホルダ１７の回転中心である支持軸２０を中心に時計回りに更に回転し、ハンマー本体１６の後端部が鍵盤シャーシ１の後側上部に設けられた上限ストッパ部３１に当接する。これにより、ハンマー部材３の時計回り方向への回転が停止すると共に、鍵２の押鍵動作も停止する。この後は、ハンマー部材３がその錘部１８の重量によって反時計回りに回転して、鍵２を押し上げる。そして、ハンマー部材３の後端部が下限ストッパ部３０に当接して、反時計回り方向への回転が停止すると共に、鍵２が元の初期位置に戻る。
【００５６】
ところで、ハンマー本体１６の後端部が鍵盤シャーシ１の後側上部に設けられた上限ストッパ部３１に当接する際には、上限ストッパ部３１の各下面３１ａ〜３１ｄの上下位置が高音域側から低音域側に向けて段階的に高くなっているので、ハンマー調整部材２６の各調整突起部２９ａ〜２９ｄによってハンマー部材３の回転移動量が、高音域側から低音域側に向けて段階的に大きくなっても、鍵２の押鍵ストロークを一定に保って、ハンマー本体１６の後端部を上限ストッパ部３１の各下面３１ａ〜３１ｄに当接させることができる。
【００５７】
このように、この電子鍵盤楽器の鍵盤装置によれば、押鍵操作によってそれぞれ上下方向に回転する複数の鍵２と、これら複数の鍵２の押鍵操作に伴って複数の鍵２それぞれにアクション荷重を付与する複数のハンマー部材３と、これら複数のハンマー部材３の慣性モーメントを調整する複数のモーメント調整部材２６とを備え、このモーメント調整部材２６は、ハンマー部材３に取り付けられて、鍵２に対して変更可能に対向する複数の対向面２８を有する本体部２７と、この本体部２７の複数の対向面２８にそれぞれ設けられて、鍵２に対する当接位置からハンマー部材３の回転中心までの距離が複数の対向面２８ごとに異なる複数の調整突起部２９ａ〜２９ｄとを備えていることにより、簡単な構造で、鍵荷重を高音域側と低音域側とで簡単に変えることができる。
【００５８】
すなわち、この鍵盤装置では、モーメント調整部材２６の本体部２７をハンマー部材３に取り付ける際に、本体部２７の取付向きを変えて複数の対向面２８のいずれかを選択し、この状態で本体部２７をハンマー部材３に取り付けるだけで、複数の調整突起部２９ａ〜２９ｄのいずれかを選択して、鍵２に対する調整突起部２９ａ〜２９ｄの当接位置を調整することができる。
【００５９】
このため、この鍵盤装置では、ハンマー部材３が鍵２に当接する位置からハンマー部材３の回転中心までの距離を、高音域側と低音域側とで簡単に変えることができるので、複数のハンマー部材３の各慣性モーメントを高音域側と低音域側とで簡単に変えることができ、これにより簡単な構造で、ハンマー部材３の初期位置を一定に保って、鍵荷重を高音域側と低音域側とで容易に変えることができると共に、部品の共通化を図り、低コスト化をも図ることができる。
【００６０】
この場合、モーメント調整部材２６は、本体部２７をハンマー部材３に取り付ける際に、本体部２７を外周面に沿って回転させて、鍵２に対向する複数の対向面２８のいずれかを選択した状態で、本体部２７をハンマー部材３に取り付けることにより、本体部２７を外周面に沿って回転させるだけで、本体部２７の取付向きを簡単に選択することができる。
【００６１】
このように本体部２７の取付向きを選択すると、複数の対向面２８のいずれかを選択することができ、この状態で本体部２７をハンマー部材３に取り付けることができる。これにより、鍵２に当接する複数の調整突起部２９ａ〜２９ｄのいずれかを簡単に選択することができるので、ハンマー部材３の調整突起部２９ａ〜２９ｄが鍵２に当接する位置からハンマー部材３の回転中心までの距離を、高音域側と低音域側とで簡単にかつ容易に変えることができる。
【００６２】
また、モーメント調整部材２６の本体部２７は、断面が正四角形の角筒状に形成され、その外周面に鍵２に対向する対向面２８が４面形成され、筒軸がハンマー部材３の長手方向に沿った状態で、ハンマー部材３に取り付けられ、また複数の調整突起部２９ａ〜２９ｄは、ハンマー部材３の回転中心からの距離Ｌ１〜Ｌ４がそれぞれ異なった位置で、複数の対向面２８にそれぞれ設けられていることにより、モーメント調整部材２６の本体部２７をハンマー部材３に取り付ける際に、本体部２７を９０度回転させるだけで、本体部２７の取付向きを簡単にかつ確実に変えることができる。
【００６３】
これにより、本体部２７を回転させて、複数の対向面２８のいずれかを選択した状態で、本体部２７にハンマー部材３の保持突起部２５を挿入させるだけで、本体部２７をハンマー部材３に簡単に取り付けることができると共に、ハンマー部材３の初期位置を一定に保つことができる。これにより、ハンマー部材３の回転中心から複数の調整突起部２９ａ〜２９ｄのいずれかまでの距離Ｌ１〜Ｌ４を簡単に選択することができるので、ハンマー部材３の慣性モーメントを容易に４段階に変えることができる。
【００６４】
この場合、モーメント調整部材２６は、ウレタンゴムやエラストマーなどの弾力性を有する材料で形成されていることにより、鍵２が押鍵操作されて鍵２のハンマー押圧部１５がモーメント調整部材２６の複数の調整突起部２９ａ〜２９ｄのいずれかに当接して押し下げる際に、その衝撃を緩和することができ、これにより良好に押鍵操作ができる共に、良好にハンマー部材３を回転させることができ、鍵タッチ感の向上を図ることができる。
【００６５】
また、ハンマー部材３は、ハンマー本体１６と、このハンマー本体１６に取り付けられ、回転支点である支持軸２０を中心にハンマー本体１６と共に回転するハンマーホルダ１７とを有し、このハンマーホルダ１７に保持突起部２５が設けられ、この保持突起部２５にモーメント調整部材２６が取り付けられているので、ハンマーホルダ１７を合成樹脂で形成することにより、このハンマーホルダ１７に保持突起部２５を簡単にかつ容易に形成することができ、これによりハンマー部材３にモーメント調整部材２６を容易にかつ確実に取り付けることができる。
【００６６】
この場合、ハンマー部材３は、ハンマーホルダ１７が合成樹脂で形成されていることにより、ハンマー本体１６が金属製であっても、このハンマー本体１６にハンマーホルダ１７を容易にかつ確実に取り付けることができると共に、ハンマーホルダ１７を鍵盤シャーシ１のハンマー支持部８の支持軸２０に確実にかつ良好に取り付けることができ、これにより支持軸２０を中心にハンマー部材３を円滑にかつ良好に回転させることができる。
【００６７】
さらに、この鍵盤装置では、複数のハンマー部材３がそれぞれ回転した際に、モーメント調整部材２６の複数の調整突起部２９ａ〜２９ｄからハンマー部材３の回転中心までの距離Ｌ１〜Ｌ４に応じて、ハンマー部材３がそれぞれ当接する当接面である下面３１ａ〜３１ｄの上下位置が段階的に異なる上限ストッパ部３１を備えていることにより、ハンマー調整部材２６の各調整突起部２９ａ〜２９ｄによってハンマー部材３の回転量が高音域側から低音域側に向けて段階的に大きくなっても、ハンマー本体１６の後端部を上限ストッパ部３１の各下面３１ａ〜３１ｄに正確に当接させることができ、これにより鍵２の押鍵ストロークを一定に保つことができる。
【００６８】
なお、上述した実施形態では、モーメント調整部材２６の本体部２７を断面正四角形の角筒状に形成した場合について述べたが、これに限らず、例えば断面が正三角形、正五角形、正六角形などの正多角形の筒状に形成しても良く、また外周面が円形状で内部が多角形の筒状に形成しても良い。このような場合には、ハンマーホルダ１７の保持突起部２５を断面が正多角形の角棒状に形成すれば良い。
【００６９】
また、上述した実施形態では、鍵２が屈曲部１３の屈曲によって上下方向に回転する構成である場合について述べたが、これに限らず、例えば鍵盤シャーシ１に設けられた鍵支持部１１に支持軸を設け、この支持軸に鍵２の後端部を回転可能に取り付けるようにした構成であっても良い。
【００７０】
以上、この発明のいくつかの実施形態について説明したが、この発明は、これに限られるものではなく、特許請求の範囲に記載された発明とその均等の範囲を含むものである。
以下に、本願の特許請求の範囲に記載された発明を付記する。
【００７１】
（付記）
請求項１に記載の発明は、押鍵操作によってそれぞれ上下方向に回転する複数の鍵と、前記複数の鍵の押鍵操作に伴って前記複数の鍵それぞれにアクション荷重を付与する複数のハンマー部材と、前記ハンマー部材に取り付けられ、前記鍵に対して変更可能に対向する複数の対向面を有する本体部、およびこの本体部の前記複数の対向面にそれぞれ設けられ、前記鍵に対する当接位置から前記ハンマー部材の回転中心までの、当該ハンマー部材の長手方向に沿った距離が前記複数の対向面ごとに異なる複数の調整突起部を有する複数のモーメント調整部材と、を備えていることを特徴とする鍵盤装置である。
【００７２】
請求項２に記載の発明は、請求項１に記載の鍵盤装置において、前記モーメント調整部材は、前記本体部を前記ハンマー部材に取り付ける際に、前記本体部をその外周面に沿って回転させて、前記鍵に対向する前記複数の対向面のいずれかを選択した状態で、前記本体部が前記ハンマー部材に取り付けられていることを特徴とする鍵盤装置である。
【００７３】
請求項３に記載の発明は、請求項１または請求項２に記載の鍵盤装置において、前記本体部は、筒状に形成され、その外周面に前記鍵に対向する前記対向面が複数形成され、前記ハンマー部材に設けられた保持突起部が挿入することにより前記ハンマー部材に取り付けられ、また前記複数の調整突起部は、前記ハンマー部材の回転中心までの、当該ハンマー部材の長手方向に沿った距離がそれぞれ異なった位置で、前記複数の対向面にそれぞれ設けられていることを特徴とする鍵盤装置である。
【００７４】
請求項４に記載の発明は、請求項１〜請求項３のいずれかに記載の鍵盤装置において、前記モーメント調整部材は、弾力性を有する材料で形成されていることを特徴とする鍵盤装置である。
【００７５】
請求項５に記載の発明は、請求項１〜請求項４のいずれかに記載の鍵盤装置において、前記ハンマー部材は、ハンマー本体と、このハンマー本体に取り付けられ、回転支点を中心に前記ハンマー本体と共に回転するハンマーホルダとを有し、このハンマーホルダに前記保持突起部が設けられ、この保持突起部に前記モーメント調整部材が取り付けられていることを特徴とする鍵盤装置である。
【００７６】
請求項６に記載の発明は、請求項１〜請求項５のいずれかに記載の鍵盤装置において、前記複数のハンマー部材がそれぞれ回転した際に、前記モーメント調整部材の前記複数の調整突起部から前記ハンマー部材の回転中心までの、当該ハンマー部材の長手方向に沿った距離に応じて、前記ハンマー部材がそれぞれ当接する当接面の上下位置が段階的に異なる上限ストッパ部を備えていることを特徴とする鍵盤装置である。
【００７７】
請求項７に記載の発明は、請求項１〜請求項６のいずれかに記載の鍵盤装置を備えていることを特徴とする電子鍵盤楽器である。
【符号の説明】
【００７８】
１  鍵盤シャーシ
２  鍵
３  ハンマー部材
４  スイッチ部
１５  ハンマー押圧部
１６  ハンマー本体
１７  ハンマーホルダ
１８  錘部
１９  回転取付部
２０  支持軸
２５  保持突起部
２６  モーメント調整部材
２７  本体部
２８  複数の対向面
２９ａ〜２９ｄ  複数の調整突起部
３０  下限ストッパ部
３１  上限ストッパ部
３１ａ〜３１ｄ  上限ストッパ部の各下面
【図１】
2014149356.tif 000003
【図２】
2014149356.tif 000004
【図３】
2014149356.tif 000005
【図４】
2014149356.tif 000006